【手続補正書】
【提出日】平成18年12月13日(2006.12.13)
【手続補正１】
【補正対象書類名】特許請求の範囲
【補正対象項目名】全文
【補正方法】変更
【補正の内容】
【特許請求の範囲】
【請求項１】
移動端末ユニットと無線で通信するように動作可能な少なくとも１つのアンテナユニットを経由して、移動端末ユニットと設定された双方向の通信チャネル上でデータを通信するように動作可能な基地局であって、基地局が、前記少なくとも１つのアンテナユニットと光ファイバリンク上で通信するように動作可能であり、基地局が、
ダウンリンク光データ信号を生成し、前記少なくとも１つのアンテナユニットへ送信する光送信機と、
前記通信チャネルに関係する前記少なくとも１つのアンテナユニットによって生成されたアップリンク光データ信号を受信する光受信機とを含み、
前記光送信機が、
光搬送波を生成するように動作可能な光源と、
前記光搬送波を無線周波数発振器信号で変調し、アップリンク光データ信号を生成するときに、前記少なくとも１つのアンテナユニットによって使用するのに適した光発振器信号を生成するように動作可能な第１の光変調器と、
第１の光変調器に光学的に結合されていて、前記通信チャネルに関係して割り振られた周波数の入力データ信号で変調された光発振器信号を含むダウンリンク光データ信号を生成し、出力するように動作可能な第２の光変調器とを含む基地局。
【請求項２】
前記第１および第２の光変調器が、マッハ−ツェンダ光変調器である請求項１記載の基地局。
【請求項３】
前記第１のマッハ−ツェンダ光変調器が、その伝達特性の最小値においてバイアスをかけられ、その結果、光発振器信号が、光搬送波を変調するのに使用される無線周波数発振器信号の周波数の２倍をもつ発振器信号を含む請求項２記載の基地局。
【請求項４】
第２のマッハ−ツェンダ光変調器が、その伝達特性の直角位相点においてバイアスをかけられる請求項２または３記載の基地局。
【請求項５】
前記光受信機が、前記少なくとも１つのアンテナユニットからの前記光ファイバリンク上で受信されるアップリンク光データ信号を検出し、前記通信チャネルに関係する信号を、他のチャネルのものから分離する受光器手段を含む請求項１ないし４の何れか１項記載の基地局。
【請求項６】
移動端末ユニットと無線で通信するように動作可能な少なくとも１つのアンテナユニットによって、移動端末ユニットと設定された双方向の通信チャネル上でデータを通信するように動作可能な基地局であって、基地局が、前記少なくとも１つのアンテナユニットと光ファイバリンク上で通信するように動作可能であり、基地局が、
ダウンリンク光データ信号を生成し、前記少なくとも１つのアンテナユニットへ送信する光送信機と、
前記通信チャネルに関係する前記少なくとも１つのアンテナユニットによって生成されたアップリンク光データ信号を受信する光受信機とを含み、
前記光送信機が、
光搬送波を生成するように動作可能な光源と、
無線周波数発信器信号を、前記通信チャネルに関係して割り振られた周波数の入力された変調されたデータ信号で変調し、発振器信号と変調されたデータ信号とを含む変調された出力信号を生成するように定められた第１の変調器と、
前記光搬送波を、第１の変調器によって出力された変調された信号で変調し、アップリンク光データ信号を生成するときに前記少なくとも１つのアンテナユニットによって使用するのに適した光発振器信号と、ダウンリンク光データ信号とを含むダウンリンク光信号を生成し、出力するように定められた第２の光変調器とを含む基地局。
【請求項７】
前記第１の変調器が、変調された出力信号内に無線周波数発信器信号を含むように定められた単側波帯電気変調器である請求項６記載の基地局。
【請求項８】
前記第２の光変調器が、その伝達特性の最小値においてバイアスをかけられるマッハ−ツェンダ光変調器であり、その結果、ダウンリンク光信号が、前記第１の変調器によって変調される無線周波数発信器信号の周波数の２倍をもつ光発信器信号である請求項６または７記載の基地局。
【請求項９】
請求項１ないし８の何れか１項に定義されている基地局と共に使用するアンテナユニットであって、
受信したダウンリンク光データ信号を無線周波数信号へ変換する光検出器と、
前記無線周波数信号を、アンテナユニットによって無線送信するデータ信号と、アップリンク光データ信号を生成するためにアンテナユニット内で使用する局部発振器信号とに分離する手段とを含むアンテナユニット。
【請求項１０】
移動端末ユニットによって送信された無線周波数データ信号を受信する受信機と、
受信した無線周波数データ信号を、局部発振器信号を使用して、中間周波数データ信号へ変換する変換器と、
中間周波数データ信号を基地局へ伝達するアップリンク光データ信号を生成する光送信機とをさらに含む請求項９記載のアンテナユニット。
【請求項１１】
光ファイバリンクによって基地局へリンクされ、移動端末ユニットと無線で通信するように動作可能な少なくとも１つのアンテナユニットを経由して、前記基地局と前記移動端末ユニットとの間に設定された双方向の通信チャネル上でデータを通信する方法であって、方法が、
（ｉ）前記基地局内の前記第１の光変調器において、光搬送波を無線周波数発振器からの出力で変調し、アップリンク光データ信号を生成するために前記少なくとも１つのアンテナユニットによって使用するのに適した光発振器信号を生成するステップと、
（ｉｉ）第１の光変調器に光学的にリンクされた、前記基地局内の第２の光変調器において、前記通信チャネルに関係して割り振られた周波数の入力された変調されたデータ信号で光発振器信号を変調し、ダウンリンク光データ信号を生成するステップと、
（ｉｉｉ）ダウンリンク光データ信号を前記光ファイバリンクによって前記少なくとも１つのアンテナユニットへ伝達するステップと、
（ｉｖ）前記少なくとも１つのアンテナユニットにおいて、ダウンリンク光データ信号を、無線送信のための無線周波数データ信号と、アップリンク光データ信号を生成するためにアンテナユニット内で使用する局部発振器信号とへ変換するステップとを含む方法。
【請求項１２】
（ｖ）前記少なくとも１つのアンテナユニットにおいて、前記移動端末ユニットによって前記通信チャネル上で送信された変調されたデータ信号を受信し、ステップ（ｉｖ）からの局部発振器信号を使用し、受信した変調されたデータ信号を中間周波数のデータ信号へ変換するステップと、
（ｖｉ）中間周波数のデータ信号をアップリンク光データ信号として前記基地局へ前記光ファイバリンク上で送信するステップとをさらに含む請求項１１記載の方法。
【請求項１３】
請求項１ないし８の何れか１項に定義されている基地局との通信に使用する移動端末ユニットであって、移動端末ユニットが、
入力データ信号を変調するように動作可能な変調器と、
変調された入力データ信号を、通信チャネルに関係して割り振られた所定の周波数範囲内の周波数をもつアップリンクデータ信号へ変換する信号変換手段と、
基地局にリンクされた少なくとも１つのアンテナユニットによって受信される、アップリンクデータ信号を無線で送信するように動作可能な送信機とを含む移動端末ユニット。
【請求項１４】
信号変換手段が、
ダウンリンク光データ信号内の、基地局によって出力された発振器信号の周波数に対応する周波数において動作可能な局部発振器と、
局部発振器によって出力された発振器信号を、変調器によって出力された変調されたデータ信号と混合して、アップリンクデータ信号を生成するように動作可能なミキサとを含む請求項１３記載の移動端末ユニット。
【請求項１５】
基地局と、光ファイバリンクによって基地局にリンクされた少なくとも１つのアンテナユニットとを含む通信システムであって、システムが、移動端末ユニットと設定された双方向の通信チャネル上でデータを通信するように動作可能であり、前記少なくとも１つのアンテナユニットが、移動端末ユニットと無線で通信するように動作可能であり、基地局が、
ダウンリンク光データ信号を生成し、前記少なくとも１つのアンテナユニットへ送信する光送信機と、
前記通信チャネルに関係して前記少なくとも１つのアンテナユニットによって生成されたアップリンク光データ信号を受信する光受信機とを含み、
前記光送信機が、
光搬送波を生成するように動作可能な光源と、
前記光搬送波を無線周波数発振器信号で変調し、アップリンク光データ信号を生成するときに、前記少なくとも１つのアンテナユニットによって使用するのに適した光発振器信号を生成するように動作可能な第１の光変調器と、
第１の光変調器に光学的に結合されていて、前記通信チャネルに関係して割り振られた周波数の入力データ信号で変調された光発振器信号を含むダウンリンク光データ信号を生成し、出力するように動作可能な第２の光変調器とを含む通信システム。
【手続補正２】
【補正対象書類名】明細書
【補正対象項目名】０００２
【補正方法】変更
【補正の内容】
【０００２】
本発明の第１の態様にしたがって、移動端末ユニットと無線で通信するように動作可能な少なくとも１つのアンテナユニットを経由して、移動端末ユニットと設定された双方向の通信チャネル上でデータを通信するように動作可能な基地局であって、基地局が、前記少なくとも１つのアンテナユニットと光ファイバリンク上で通信するように動作可能であり、基地局が、
ダウンリンク光データ信号を生成し、前記少なくとも１つのアンテナユニットへ送信する光送信機と、
前記通信チャネルに関係して前記少なくとも１つのアンテナユニットによって生成されたアップリンク光データ信号を受信する光受信機とを含み、
前記光送信機が、
光搬送波を生成するように動作可能な光源と、
前記光搬送波を無線周波数発振器信号で変調し、アップリンク光データ信号を生成するときに、前記少なくとも１つのアンテナユニットによって使用するのに適した光発振器信号を生成するように動作可能な第１の光変調器と、
第１の光変調器に光学的に結合されていて、前記通信チャネルに関係して割り振られた周波数の入力データ信号で変調された光発振器信号を含むダウンリンク光データ信号を生成し、出力するように動作可能な第２の光変調器とを含む基地局が与えられる。
【手続補正３】
【補正対象書類名】明細書
【補正対象項目名】０００４
【補正方法】削除
【補正の内容】
【手続補正４】
【補正対象書類名】明細書
【補正対象項目名】０００５
【補正方法】削除
【補正の内容】
【手続補正５】
【補正対象書類名】明細書
【補正対象項目名】０００６
【補正方法】変更
【補正の内容】
【０００６】
本発明の第２の態様にしたがって、少なくとも１つのアンテナユニットを経由して、移動端末ユニットと設定された双方向の無線チャネル上でデータを通信する基地局であって、前記少なくとも１つのアンテナユニットが、少なくとも１本の光ファイバによって基地局にリンクされ、前記少なくとも１つのアンテナユニットが、移動端末ユニットと無線で通信するように動作可能であり、基地局が、
ダウンリンク光データ信号を生成し、前記少なくとも１つのアンテナユニットへ送信する光送信機と、
前記少なくとも１つのアンテナユニットによって生成されたアップリンク光データ信号を受信する光受信機と、
前記通信チャネルに関係して受信したアップリンク光データ信号を復調する復調器とを含み、
前記光送信機が、
無線周波数発振器信号を、前記通信チャネルに関係して割り振られた周波数の入力された変調されたデータ信号で変調し、発振器信号と変調されたデータ信号とを含む変調された出力信号を生成するように定められた第１の光変調器と、
光搬送波を、第１の変調器によって出力された変調された信号で変調し、アップリンク光データ信号を生成するために前記少なくとも１つのアンテナユニットによって使用される光発振器信号と、ダウンリンク光データ信号とを含むダウンリンク光信号を生成し、出力するように定められた第２の光変調器とを含む基地局が与えられる。
【手続補正６】
【補正対象書類名】明細書
【補正対象項目名】０００８
【補正方法】変更
【補正の内容】
【０００８】
本発明の第３の態様にしたがって、本発明の第１または第２の態様にしたがって定義されている基地局で使用するアンテナユニットであって、
受信したダウンリンク光データ信号を無線周波数信号へ変換する光検出器と、
前記無線周波数信号を、アンテナユニットによって無線送信するためのデータ信号と、アップリンク光データ信号を生成するためにアンテナユニット内で使用する局部発振器信号とへ分離する手段とを含むアンテナユニットが与えられる。
本発明の第４の態様にしたがって、光ファイバリンクによって基地局にリンクされ、移動端末ユニットと無線で通信するように動作可能な少なくとも１つのアンテナユニットを経由して、前記基地局と前記移動端末ユニットとの間に設定された双方向の通信チャネル上でデータを通信する方法であって、方法が、
（ｉ）前記基地局内の前記第１の光変調器において、光搬送波を無線周波数発振器からの出力で変調し、アップリンク光データ信号を生成するために前記少なくとも１つのアンテナユニットによって使用するのに適した光発振器信号を生成するステップと、
（ｉｉ）第１の光変調器に光学的にリンクされた、前記基地局内の第２の光変調器において、前記通信チャネルに関係して割り振られた周波数の入力された変調されたデータ信号で光発振器信号を変調し、ダウンリンク光データ信号を生成するステップと、
（ｉｉｉ）ダウンリンク光データ信号を、前記光ファイバリンクによって前記少なくとも１つのアンテナユニットへ伝達するステップと、
（ｉｖ）前記少なくとも１つのアンテナユニットにおいて、ダウンリンク光データ信号を、無線送信のための無線周波数データ信号と、アップリンク光データ信号を生成するためにアンテナユニット内で使用する局部発振器信号とへ変換するステップとを含む方法が与えられる。
本発明の第５の態様にしたがって、本発明の第１および第２の態様にしたがって定義された基地局との通信に使用する移動端末ユニットであって、移動端末ユニットが、
入力データ信号を変調するように動作可能な変調器と、
変調された入力データ信号を、通信チャネルに関係して割り振られた所定の周波数範囲内の周波数をもつアップリンクデータ信号へ変換する信号変換手段と、
基地局にリンクされた少なくとも１つのアンテナユニットによって受信される、アップリンクデータ信号を無線で送信するように動作可能な送信機とを含む移動端末ユニットが与えられる。
【手続補正７】
【補正対象書類名】明細書
【補正対象項目名】０００９
【補正方法】変更
【補正の内容】
【０００９】
好ましくは、信号変換手段は、
ダウンリンク光データ信号において、基地局によって出力される発振器信号の周波数に対応する周波数において動作可能な局部発振器と、
局部発振器によって出力された発振器信号を、変調器によって出力された変調されたデータ信号出力と混合して、アップリンクデータ信号を生成するように動作可能なミキサとを含む。
本発明の第６の態様にしたがって、基地局と、光ファイバリンクによって基地局にリンクされた少なくとも１つのアンテナユニットとを含む通信システムであって、システムが、移動端末ユニットと設定された双方向の通信チャネル上でデータを通信するように動作可能であり、前記少なくとも１つのアンテナユニットが、移動端末ユニットと無線で通信するように動作可能であり、基地局が、
ダウンリンク光データ信号を生成し、前記少なくとも１つのアンテナユニットへ送信する光送信機と、
前記通信チャネルに関係して前記少なくとも１つのアンテナユニットによって生成されたアップリンク光データ信号を受信する光受信機とを含み、
前記光送信機が、
光搬送波を生成するように動作可能な光源と、
前記光搬送波を無線周波数発振器信号で変調し、アップリンク光データ信号を生成するときに、前記少なくとも１つのアンテナユニットによって使用するのに適した光発振器信号を生成するように動作可能な第１の光変調器と、
第１の光変調器に光学的に結合されていて、前記通信チャネルに関係して割り振られた周波数の入力データ信号で変調された光発振器信号を含むダウンリンク光データ信号を生成し、出力するように動作可能な第２の光変調器とを含む通信システムが与えられる。